【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
画像を表示するための光学パネルにおいて、
複数の積層された光導波路であって、各導波路は第１の端部と第２の端部とを有し、前記複数の第１の端部により入口面が規定され、前記複数の第２の端部により出口面が規定される、複数の積層された光導波路と、
前記導波路群の前記入口面に設けられ、前記画像を形成する光を非対称に拡散する入口拡散器と、
を有し、
前記入口拡散器は、前記導波路内へと前記光を第１の方向及び第２の方向の両方において拡散するように構成され、前記第２の方向は前記第１の方向に垂直であり、又、前記入口拡散器は、前記第２の方向における前記光の拡散よりも大きな量にて、前記第１の方向における前記光の拡散を提供することを特徴とする光学パネル。
【請求項２】
前記第１の方向は水平方向であり、前記第２の方向は垂直方向であり、各導波路は前記パネルの幅方向に沿って水平方向に延在することを特徴とする請求項１に記載の光学パネル。
【請求項３】
各導波路は第１の屈折率を有する透過性コアを有し、各透過性コアには前記第１の屈折率よりも小さい第２の屈折率を有するクラッドが結合され、前記導波路は前記第１及び第２の屈折率により集合的に決定される受容角を有することを特徴とする請求項１に記載の光学パネル。
【請求項４】
前記入口拡散器は、前記導波路の前記受容角よりも小さいか又は該受容角と実質的に等しい前記第２の方向における拡散円錐角を有することを特徴とする請求項３に記載の光学パネル。
【請求項５】
前記クラッドは、実質的に黒色の材料を有することを特徴とする請求項３に記載の光学パネル。
【請求項６】
前記入口拡散器は、同心楕円の形態の拡散要素を有することを特徴とする請求項１に記載の光学パネル。
【請求項７】
前記入口拡散器は、実質的に一方向のみにおいて拡散をもたらす平行線の形態の拡散要素を有することを特徴とする請求項１に記載の光学パネル。
【請求項８】
前記入口拡散器は、実質的に一方向のみにおいてゲインを有するレンズ状のレンズの形態の拡散要素を有することを特徴とする請求項１に記載の光学パネル。
【請求項９】
更に、前記入口拡散器を通して前記導波路内に前記光を再指向させるための、前記入口拡散器の入口表面に設けられたカプラーを有することを特徴とする請求項１に記載の光学パネル。
【請求項１０】
前記カプラーは、フレネルプリズム状溝を有することを特徴とする請求項９に記載の光学パネル。
【請求項１１】
前記カプラーは、透過型直角フィルムを有することを特徴とする請求項９に記載の光学パネル。
【請求項１２】
前記導波路は平面状であることを特徴とする請求項１に記載の光学パネル。
【請求項１３】
前記入口面は、前記出口面と実質的に平行であることを特徴とする請求項１に記載の光学パネル。
【請求項１４】
画像を表示するための光学パネルにおいて、
複数の積層された光導波路であって、各導波路は第１の端部と第２の端部とを有し、前記複数の第１の端部により入口面が規定され、前記複数の第２の端部により出口面が規定される、複数の積層された光導波路と、
前記導波路群の前記入口面に設けられ、前記画像を形成する光を非対称に拡散する入口拡散器と、
前記出口面に設けられ、前記出口面において空間的に異なるように前記光を拡散することにより前記入口拡散器を補完する出口拡散器と、
を有し、
前記入口拡散器は前記導波路内へと主に第１の方向において前記光を拡散するように構成され、前記出口拡散器は主に第２の方向において前記光を拡散するように構成され、前記第２の方向は前記第１の方向に垂直であることを特徴とする光学パネル。
【請求項１５】
前記入口拡散器は、前記出口拡散器により提供される前記第２の方向における前記光の拡散よりも大きな量にて、前記第１の方向における前記光の拡散を提供することを特徴とすることを特徴とする請求項１４に記載の光学パネル。
【請求項１６】
前記第１の方向は水平方向であり、前記第２の方向は垂直方向であり、各導波路は前記パネルの幅方向に沿って水平方向に延在することを特徴とする請求項１４に記載の光学パネル。
【請求項１７】
各導波路は第１の屈折率を有する透過性コアを有し、各透過性コアには前記第１の屈折率よりも小さい第２の屈折率を有するクラッドが結合され、前記導波路は前記第１及び第２の屈折率により集合的に決定される受容角を有することを特徴とする請求項１４に記載の光学パネル。
【請求項１８】
前記入口拡散器は、前記導波路の前記受容角よりも小さいか又は該受容角と実質的に等しい前記第２の方向における拡散円錐角を有することを特徴とする請求項１７に記載の光学パネル。
【請求項１９】
前記クラッドは、実質的に黒色の材料を有することを特徴とする請求項１７に記載の光学パネル。
【請求項２０】
前記入口拡散器は、前記出口拡散器からの前記第２の方向における前記光の拡散の円錐角よりも大きな円錐角にて、前記第１の方向において前記光を拡散するように構成されることを特徴とする請求項１４に記載の光学パネル。
【請求項２１】
前記入口拡散器は、実質的に前記第１の方向のみにおいて拡散をもたらす平行線の形態の拡散要素を有することを特徴とする請求項１４に記載の光学パネル。
【請求項２２】
前記入口拡散器は、実質的に前記第１の方向のみにおいてゲインを有するレンズ状のレンズの形態の拡散要素を有することを特徴とする請求項１４に記載の光学パネル。
【請求項２３】
前記出口拡散器は、実質的に前記第２の方向のみにおいて拡散をもたらす平行線の形態の拡散要素を有することを特徴とする請求項１４に記載の光学パネル。
【請求項２４】
前記出口拡散器は、実質的に前記第２の方向のみにおいてゲインを有するレンズ状のレンズの形態の拡散要素を有することを特徴とする請求項１４に記載の光学パネル。
【請求項２５】
更に、前記入口拡散器を通して前記導波路内に前記光を再指向させるための、前記入口拡散器の入口表面に設けられたカプラーを有することを特徴とする請求項１４に記載の光学パネル。
【請求項２６】
前記カプラーは、フレネルプリズム状溝を有することを特徴とする請求項２５に記載の光学パネル。
【請求項２７】
前記カプラーは、透過型直角フィルムを有することを特徴とする請求項２５に記載の光学パネル。
【請求項２８】
前記導波路は平面状であることを特徴とする請求項１４に記載の光学パネル。
【請求項２９】
画像を表示するための光学パネルにおいて、
複数の積層された光導波路であって、各導波路は第１の端部と第２の端部とを有し、前記複数の第１の端部により入口面が規定され、前記複数の第２の端部により出口面が規定される、複数の積層された光導波路と、
前記導波路群の前記入口面に設けられ、前記画像を形成する光を非対称に拡散する入口拡散器と、
前記出口面に設けられ、前記出口面において空間的に異なるように前記光を拡散することにより前記入口拡散器を補完する出口拡散器と、
を有し、
前記入口拡散器は、前記導波路内へと前記光を第１の方向及び第２の方向の両方において拡散するように構成され、前記出口拡散器は、主に前記第２の方向において前記光を拡散するように構成され、前記第２の方向は前記第１の方向に垂直であることを特徴とする光学パネル。
【請求項３０】
前記入口拡散器は、前記第２の方向における前記光の拡散よりも大きな量にて、前記第１の方向における前記光の拡散を提供することを特徴とする請求項２９に記載の光学パネル。
【請求項３１】
前記第１の方向は水平方向であり、前記第２の方向は垂直方向であり、各導波路は前記パネルの幅方向に沿って水平方向に延在することを特徴とする請求項２９に記載の光学パネル。
【請求項３２】
各導波路は第１の屈折率を有する透過性コアを有し、各透過性コアには前記第１の屈折率よりも小さい第２の屈折率を有するクラッドが結合され、前記導波路は前記第１及び第２の屈折率により集合的に決定される受容角を有することを特徴とする請求項２９に記載の光学パネル。
【請求項３３】
前記入口拡散器は、前記導波路の前記受容角よりも小さいか又は該受容角と実質的に等しい前記第２の方向における拡散円錐角を有することを特徴とする請求項３２に記載の光学パネル。
【請求項３４】
前記クラッドは、実質的に黒色の材料を有することを特徴とする請求項３２に記載の光学パネル。
【請求項３５】
前記入口拡散器は、前記第２の方向における前記光の拡散の円錐角よりも大きな円錐角にて、前記第１の方向において前記光を拡散するように構成されることを特徴とする請求項２９に記載の光学パネル。
【請求項３６】
前記入口拡散器は、前記出口拡散器からの前記第２の方向における前記光の拡散の円錐角よりも大きな円錐角にて、前記第１の方向において前記光を拡散するように構成されることを特徴とする請求項２９に記載の光学パネル。
【請求項３７】
前記入口拡散器は、同心楕円の形態の拡散要素を有することを特徴とする請求項２９に記載の光学パネル。
【請求項３８】
更に、前記入口拡散器を通して前記導波路内に前記光を再指向させるための、前記入口拡散器の入口表面に設けられたカプラーを有することを特徴とする請求項２９に記載の光学パネル。
【請求項３９】
前記導波路は平面状であることを特徴とする請求項２９に記載の光学パネル。